(57)【要約】【目的】濡れたタオル７等を、ハンガーに掛けた状態で、強制乾燥・保温・殺菌が出来る事を目的とした、タオル掛けハンガーである。【構成】ぶら下げ式ハンガーの、下部横棒に温熱ヒーター１等の熱源を埋め込んだタオル掛けカバーユニットを横棒と一体化したモジュールを取付け、同ユニットの中間部に、殺菌の為の、紫外線ランプ２を取り付けた構成になっている。【選択図】　　図１
2004065751.tif 000002
【特許請求の範囲】
【請求項１】
ぶら下げ式ハンガーに、乾燥・保温機能を備えたモジュールを、取り付け一体化した装置であって、前記、乾燥保温モジュールは、温熱ヒーター等の熱源を埋め込んだタオル掛けカバーユニットを、ぶら下げ式ハンガー下部横棒と一体化した事を特徴とする、乾燥・保温機能付きハンガー
【請求項２】
ぶら下げ式ハンガーの、タオル掛けカバーユニットの中間部に殺菌のための、紫外線ランプを照射出来る様に取り付けられた事を特徴とする、請求項１記載の乾燥・保温機能付きハンガ　ー
【請求項３】
タオル掛けカバーユニットは、独立した一個のモジュールとして作られている為、使用目的によって、ぶら下げ式に限定される事無く、床置きタイプとして、又、横に寝かせて使用する事、等が可能な事を特徴とする、請求項１，２項記載の乾燥・保温機能付きハンガー
【請求項４】
タオル掛けユニットの表面カバーは、熱伝導率の良い材料（例：アルミニュウム）を使用し、表面はパンチング構造として、紫外線照射による殺菌効果を上げる事を特徴とする、請求項１，２項記載の乾燥・保温機能付きハンガー
【発明の詳細な説明】
【０００１】
【産業上の利用分野】
本発明は、タオル・ワイシャツ等の乾燥・保管のために掛けられる、ぶら下げ式ハンガーに関するものである。
【０００２】
【従来の技術】
洗面所・トイレ・浴室前の脱衣所等において、タオルを掛けるタオルハンガーは、ぶら下げ式の簡単な引っ掛け構造のものである。
【０００３】
【発明が解決しようとする課題】
洗面所・トイレ等に掛けられているタオルは、何回も、又、複数の人達が繰り返し利用するケースが多くある。
この様な場合、利用頻度が多くなればなる程、タオルは湿った状態となり、又、夏期では衛生面から見てもバイ菌の発生も考えられ、繁殖の温床となっている。
冬期においては、濡れて冷たくなっており、次に使おうとした時に、非常な不快感を持つ事が、実情であった。
【０００４】
そこで、本発明の目的は、温熱ヒーター等の熱源を利用して、タオルハンガーに掛けたままの状態で、タオルを乾燥・殺菌し、そのまま保温しておく事が出来、しかも、どこにでも容易に吊るしておく事を可能とした、ぶら下げ式乾燥・保温ハンガーを提供する事にある。
【０００５】
【課題を解決するための手段】
上記課題を解決するため、本発明に係わる請求項１記載の乾燥・保温機能付きハンガーは、ぶら下げ式のタオルハンガーであって、このタオルハンガーの下部横棒に、温熱ヒーターを埋め込んだタオル掛けカバーユニットを、横棒に取り付け一体化して、同ユニット自身を発熱・温度管理させ、その温熱によって、乾燥・保温する構造を特徴とした、乾燥・保温ハンガーである。
【０００６】
タオル掛けユニットは、表面カバーの発熱・保温効果を上げる為、熱伝導率の良い材料を使用し、（例えば、アルミニュウム材）これの裏面に熱源モジュールを密着、接着して、カバー全体を発熱させている。
【０００７】
また、殺菌機能を持たせる為、同ユニット中間部分に、紫外線ランプを取り付ける事により、バイ菌の殺菌を行う事を特徴としている。
【０００８】
紫外線が、タオル等に効率良く照射される様、表面カバーは、パンチング構造として、紫外線がタオル等にまんべんなく照射される様にしている。
【０００９】
本システムは、省エネと紫外線からの保護を目的として、タオル等が掛かっていない時には、発熱及び、紫外線ランプの点灯は、行わないシステムとしている。
【００１０】
表面カバーは、アルミニュウム等の金属である為、表面の汚れに対して簡単に清掃が出来、常時衛生的に使用出来る様、配慮している。こうする事によって、タオル等の保温する物も、常時衛生的で安心して使用する事が出来る。
【００１１】
【作用】
ハンガー下部に取り付けられている、ユニットからの発熱によって、掛けられている、タオルの強制乾燥、及び、保温が出来る。
又、掛けられているタオルに、紫外線照射をする事によって、タオルの殺菌消毒をする事が出来る。
【００１２】
タオル掛けユニットは独立したユニットとなっている為、使用箇所・目的により、ぶら下げタイプとして、どこでも簡単に持ち運び可能であり、容易にタオル等の乾燥・保温が出来る、又、床置きタイプとして、タオルを複数枚、又は、バスタオル等の大きな物の乾燥・保温が出来る、又、横に寝かせるタイプとして使用すれば、寝装具・肌着等の保温に利用する事が出来る。
【００１３】
【実施例】
以下に、本発明の乾燥・保温ハンガーの実施例を図面を参照して説明する。
【００１４】
図１（ａ），（ｂ）は　、本発明のタオル掛けユニットを示しており、同図（ａ）は側面図　　　　、同図（ｂ）は正面図である。
【００１５】
図１は、本発明に係るタオル掛けユニット実施例で、１は温熱ヒーター、２は紫外線・殺菌ランプ、３は温度調節操作部、４は表面カバー、５は取付用パイプ穴、６は電源コードである。
【００１６】
本件、乾燥・保温ハンガーにタオル：７を掛け、温熱ヒーター：１を通電する事によって、湿った状態のタオルであれば、所定の時間を費やすと乾燥状態となり、その後、温度調節部：３で設定された温度で暖かく保温・保持される。
【００１７】
湿ったタオルは、前述の通り、バイ菌も発生しており、除菌・殺菌の必要がある。　　紫外線ランプ：２を点灯する事によって、上記課題を解決する事ができる。
【００１８】
乾燥した、例えば、洗濯後のタオルを掛けて置くと、温度調節部：３で設定された温度で暖かく保温された状態で保持される事となる。
冬期においては、乾燥した暖かいタオルで、手等を拭く事は心地よいものである。
【００１９】
図２は、通常のぶら下げ式タオハンガーとして使用している図であり、本体上部のフックで誰でもが、どこにでも、簡単にタオル等も掛ける事ができる。
【００２０】
図３は、床置きタイプとして設置している図であり、複数枚のタオルを同時に乾燥・保温する事が出来る。
【００２１】
図４では、本体を横に寝かせたタイプとして設置している図であり、冬期においてはタオル掛けユニットの上に、寝装具・肌着等を置いておくと、暖かく保温しておく事ができる。
【００２２】
【発明の効果】
以上のように本発明に係るタオル乾燥・保温ハンガーによれば、タオル掛けユニットの温熱ヒーターよって、掛けたタオルを強制的に乾燥させる事ができ、又、暖かい状態で保温しておく事ができる。
【００２３】
又、本発明では、紫外線ランプによって、タオルの殺菌効果を持たせている。
【００２４】
本発明の本体は、ぶら下げ式のフックになっているため、どこにでも誰でもが簡単に設置する事ができる。
【図面の簡単な説明】
【図１】本発明の本体で、タオル掛けカバーの、（ａ）は正面図、（ｂ）は側面図である。
【図２】ぶら下げ式ハンガーとしてタオルを掛けられる様、製作されたものである。
（ａ）は、ぶら下げ式ハンガー正面図、（ｂ）はタオル▲７▼を掛けた状態の側面図である。
【図３】床置きタイプとして設置・利用の例図である。
（ａ）は、床置きタイプとしての正面図、（ｂ）はタオルを掛けた状態の側面図　　　　　である。
【図４】横に寝かせた状態での設置・利用の例図である。
（ａ）は、横に寝かせた状態での正面図、（ｂ）は寝装具等を乗せた状態の側面図である。
【符号の説明】
１は、温熱ヒーター
２は、紫外線・殺菌ランプ
３は、温度調節操作部
４は、表面カバー
５は、取付用パイプ
６は、電源コード
【図１】
2004065751.tif 000003
【図２】
2004065751.tif 000004
【図３】
2004065751.tif 000005
【図４】
2004065751.tif 000006